(57)【要約】【課題】構造を簡略化しつつ、遠距離から近距離まで幅広く視標の探査・追跡が可能な遠距離視標探査カメラシステムを提供する。【解決手段】遠距離の視標を探査する遠距離視標探査カメラシステムは、輻輳運動可能な一対の輻輳カメラ１０と、一対の輻輳カメラ１０よりも挟角な視野を有する望遠カメラ２０と、一対の輻輳カメラ１０よりも広角な視野を有する広角カメラと３０とからなる。望遠カメラ２０は、一対の輻輳カメラ１０の視線の交点の軌跡線に略等しい視線を有する。広角カメラ３０は、望遠カメラ２０の視線に略等しい視線を有する。そして、これらが設置される基台４０と、基台４０の運動制御を行う基台運動用モータ５０とを具備する。【選択図】図１
2010050582.tif 000002
【特許請求の範囲】
【請求項１】
遠距離の視標を探査する遠距離視標探査カメラシステムであって、該システムは、
輻輳運動可能な一対の輻輳カメラと、
前記一対の輻輳カメラの視線の交点の軌跡線に略等しい視線を有する、前記一対の輻輳カメラよりも挟角な視野を有する望遠カメラと、
前記一対の輻輳カメラ及び望遠カメラが設置される基台と、
前記基台の運動制御を行う基台運動用モータと、
を具備すること特徴とする遠距離視標探査カメラシステム。
【請求項２】
請求項１に記載の遠距離視標探査カメラシステムであって、さらに、前記望遠カメラの視線に略等しい視線を有する、前記一対の輻輳カメラよりも広角な視野を有する広角カメラを具備し、該広角カメラは前記基台に設置されることを特徴とする遠距離視標探査カメラシステム。
【請求項３】
請求項１又は請求項２に記載の遠距離視標探査カメラシステムにおいて、前記望遠カメラは、前記一対の輻輳カメラの間の中心に配置されることを特徴とする遠距離視標探査カメラシステム。
【請求項４】
請求項１乃至請求項３の何れかに記載の遠距離視標探査カメラシステムにおいて、前記望遠カメラ及び／又は広角カメラは、前記基台の運動に連動するように前記基台に固定されることを特徴とする遠距離視標探査カメラシステム。
【請求項５】
請求項１又は請求項２に記載の遠距離視標探査カメラシステムにおいて、前記望遠カメラ及び／又は広角カメラは、前記一対の輻輳カメラの一方の運動に連動するように、前記一対の輻輳カメラの一方に固定されることを特徴とする遠距離視標探査カメラシステム。
【請求項６】
請求項１乃至請求項５の何れかに記載の遠距離視標探査カメラシステムにおいて、前記輻輳カメラは、１つのモータと１つのプーリを用いて輻輳運動可能に構成されることを特徴とする遠距離視標探査カメラシステム。
【請求項７】
請求項２乃至請求項６の何れかに記載の遠距離視標探査カメラシステムを用いて広範囲から視標を捜索するための制御方法であって、該制御方法は、
広角カメラ制御過程と、輻輳カメラ制御過程と、望遠カメラ制御過程とを具備し、
前記広角カメラ制御過程は、
前記広角カメラにより広範囲を撮像する過程と、
前記広角カメラによる撮像過程における広角画像を用いて遠距離視標探査カメラシステムの運動速度を計測する過程と、
前記広角カメラの視線を所定位置に保持するために、前記計測過程による運動速度を用いて前記基台を視覚フィードバック制御する過程と、を具備し、
前記輻輳カメラ制御過程は、
前記一対の輻輳カメラにより視標を撮像する過程と、
前記一対の輻輳カメラによる撮像過程における各輻輳画像を用いて各輻輳カメラを輻輳運動制御する過程と、
前記輻輳運動制御過程による輻輳カメラの回転角度を用いて視標までの距離を計測する過程と、
前記一対の輻輳カメラの視線を所定位置に保持するために、前記各輻輳画像を用いて前記一対の輻輳カメラを視覚フィードバック制御する過程と、を具備し、
前記望遠カメラ制御過程は、
望遠カメラにより視標を撮像する過程と、
前記望遠カメラによる撮像過程における望遠画像に視標があるかないか検出する過程と、
前記検出過程で視標がなければ前記望遠画像の範囲内に次の望遠カメラの視野の一部が重なるように望遠カメラの視線を移動させる過程と、
前記検出過程で視標があれば前記望遠画像を用いて前記望遠カメラを視覚フィードバック制御する過程と、を具備する、
ことを特徴とする遠距離視標探査カメラシステムの制御方法。
【発明の詳細な説明】
【技術分野】
【０００１】
本発明は遠距離の視標を探査する遠距離視標探査カメラシステムに関し、特に、複数の画角のカメラを組み合わせた遠距離視標探査カメラシステムに関する。
【背景技術】
【０００２】
本願の発明者は、複数の画角のカメラを組み合わせた視標探査・追跡用のカメラシステムをこれまでにも種々開発している（特許文献１〜特許文献４）。これらは、基本的には基台上に設置される視標探査及び追跡用の両眼アクティブカメラからなるものであり、視標までの距離とは関係なく同じカメラシステムを用いて同じ追跡制御を行うものである。
【０００３】
【特許文献１】特開２００６−２５８５４３号公報
【特許文献２】特開２００６−３２９７４７号公報
【特許文献３】特開２００７−０９３４７９号公報
【特許文献４】特開２００７−１２０９９３号公報
【発明の開示】
【発明が解決しようとする課題】
【０００４】
しかしながら、遠距離の視標を探査して追跡する場合には、視標までの距離に対して両眼カメラ間の基線長が十分でなく、距離計測精度が十分得られない場合があった。また、そもそも視標までの距離自体が重要ではないことも多々あった。そのような場合、遠距離の視標の探査や追跡については、超望遠カメラが１台あれば十分であったにもかかわらず、２つのカメラを用いて探査や追跡を行っていた。
【０００５】
また、上述のカメラシステムでは、両眼の共役運動を行うことが可能なアクチュエータを有するものであったが、これはカメラシステムを配置する基台の左右方向の回転運動と重複する動きであり、制御が複雑になっていた。
【０００６】
したがって、これまでの視標探査・追跡用のカメラシステムは、カメラの数にもアクチュエータの数にも冗長性があるものであった。しかしながら、特定の用途や条件によっては、これらの冗長性を減らし、システムの軽量化、低コスト化、視覚認識処理の単純化が望まれていた。
【０００７】
本発明は、斯かる実情に鑑み、構造を簡略化しつつ、遠距離から近距離まで幅広く視標の探査・追跡が可能な遠距離視標探査カメラシステムを提供しようとするものである。
【課題を解決するための手段】
【０００８】
上述した本発明の目的を達成するために、本発明による遠距離視標探査カメラシステムは、輻輳運動可能な一対の輻輳カメラと、一対の輻輳カメラの視線の交点の軌跡線に略等しい視線を有する、一対の輻輳カメラよりも挟角な視野を有する望遠カメラと、一対の輻輳カメラ及び望遠カメラが設置される基台と、基台の運動制御を行う基台運動用モータと、を具備するものである。
【０００９】
さらに、望遠カメラの視線に略等しい視線を有する、一対の輻輳カメラよりも広角な視野を有する広角カメラを具備し、該広角カメラは基台に設置されるものであっても良い。
【００１０】
また、望遠カメラは、一対の輻輳カメラの間の中心に配置されれば良い。
【００１１】
また、望遠カメラ及び／又は広角カメラは、基台の運動に連動するように基台に固定されれば良い。
【００１２】
また、望遠カメラ及び／又は広角カメラは、一対の輻輳カメラの一方の運動に連動するように、一対の輻輳カメラの一方に固定されても良い。
【００１３】
また、輻輳カメラは、１つのモータと１つのプーリを用いて輻輳運動可能に構成されても良い。
【００１４】
さらに、本発明による遠距離視標探査カメラシステムを用いて広範囲から視標を捜索するための制御方法は、広角カメラ制御過程と、輻輳カメラ制御過程と、望遠カメラ制御過程とを具備し、
広角カメラ制御過程は、広角カメラにより広範囲を撮像する過程と、広角カメラによる撮像過程における広角画像を用いて遠距離視標探査カメラシステムの運動速度を計測する過程と、広角カメラの視線を所定位置に保持するために、計測過程による運動速度を用いて基台を視覚フィードバック制御する過程と、を具備し、
輻輳カメラ制御過程は、一対の輻輳カメラにより視標を撮像する過程と、一対の輻輳カメラによる撮像過程における各輻輳画像を用いて各輻輳カメラを輻輳運動制御する過程と、輻輳運動制御過程による輻輳カメラの回転角度を用いて視標までの距離を計測する過程と、一対の輻輳カメラの視線を所定位置に保持するために、各輻輳画像を用いて一対の輻輳カメラを視覚フィードバック制御する過程と、を具備し、
望遠カメラ制御過程は、望遠カメラにより視標を撮像する過程と、望遠カメラによる撮像過程における望遠画像に視標があるかないか検出する過程と、検出過程で視標がなければ望遠画像の範囲内に次の望遠カメラの視野の一部が重なるように望遠カメラの視線を移動させる過程と、検出過程で視標があれば望遠画像を用いて望遠カメラを視覚フィードバック制御する過程と、を具備するものである。
【発明の効果】
【００１５】
本発明の遠距離視標探査カメラシステムには、構造を簡略化しつつ、遠距離から近距離まで幅広く視標の探査・追跡が可能であるという利点がある。また、視覚認識処理速度も高速になり、例えば高速に移動する視標であっても探査・追跡が可能であるという利点もある。
【発明を実施するための最良の形態】
【００１６】
以下、本発明を実施するための最良の形態を図示例と共に説明する。図１は、本発明の第１実施例の遠距離視標探査カメラシステムを説明するための概略図である。図示の通り、本発明の第１実施例の遠距離視標探査カメラシステムは、一対の輻輳カメラ１０と、望遠カメラ２０と、広角カメラ３０と、これらが設置される基台４０と、基台の運動制御を行う基台運動用モータ５０とから主に構成されている。
【００１７】
一対の輻輳カメラ１０は、輻輳運動が可能なものである。ここで、輻輳運動とは、一対の輻輳カメラ１０によりある物体を撮像する上で、撮像画像が一致するように各視線をそのある物体上に揃えるようにカメラを回転運動させることをいう。なお、本明細書中では、より近くの物体を撮像するときの寄り運動と、より遠くの物体を撮像するときの広がり運動を含めて輻輳運動と呼ぶ。各輻輳カメラ１０は、標準画角、即ち、望遠でも広角でもない中間の画角を有するものが好ましい。
【００１８】
図示例の一対の輻輳カメラ１０は、１つのモータ１１と１つのプーリ１２を用いて輻輳運動可能に構成されている。モータ１１とプーリ１２は、ベルト１３で接続されており、ベルト１３を交差して配置することで、モータ１１の回転方向とプーリ１２の回転方向が逆になるように構成されている。これにより、一対の輻輳カメラ１０の輻輳運動は、モータ１１のみで運動制御可能となる。なお、本発明は、このような１つのモータと１つのプーリを用いた構成に必ずしも限定されるものではなく、２つのモータによりそれぞれ独立駆動されるように構成して輻輳運動可能なように制御しても良い。
【００１９】
望遠カメラ２０は、一対の輻輳カメラ１０よりも挟角な視野を有するものである。また、望遠カメラ２０は、一対の輻輳カメラ１０の視線の交点の軌跡線に略等しい視線を有している。輻輳運動する一対の輻輳カメラ１０の視線の交点は、一対の輻輳カメラ１０の間の中心、且つ一対の輻輳カメラ１０間の基線に垂直な直線上で軌跡を描く。したがって、この軌跡線に略等しい視線を有する望遠カメラ２０は、図示例のように、一対の輻輳カメラ１０の間の中心に配置されれば良い。より具体的には、望遠カメラ２０は、一対の輻輳カメラ１０のそれぞれの回転中心の間の中心に配置される。このように望遠カメラ２０が基台４０の上に配置されることにより、望遠カメラ２０の視線をコントロールするためのモータ等のアクチュエータが不要となる。即ち、望遠カメラ２０の視線は常に一対の輻輳カメラ１０の視線の交点に位置することになるため、一対の輻輳カメラ１０で視標を捉えれば、望遠カメラ２０の視界に同じ視標が捉えられるので、望遠カメラ２０をアクチュエータで視線制御する必要がない。
【００２０】
広角カメラ３０は、一対の輻輳カメラ１０よりも広角な視野を有するものである。また、広角カメラ３０は、望遠カメラ２０の視線に略等しい視線を有している。広角カメラ３０は、望遠カメラ２０の視線、即ち、一対の輻輳カメラ１０の視線の交点の軌跡線に略等しい視線を有するように配置されれば良い。図示例では、広角カメラ３０は望遠カメラ２０と略同じ位置に配置されている。即ち、広角カメラ３０は、一対の輻輳カメラ１０の間の中心に配置されている。このように広角カメラ３０が基台４０の上に配置されることにより、望遠カメラと同様に、広角カメラ３０の視線をコントロールするためのモータ等のアクチュエータが不要となる。
【００２１】
なお、本発明の遠距離視標探査カメラシステムでは、広角カメラは必ずしも必須の構成要素ではなく、用途によっては一対の輻輳カメラにより広角カメラを代用しても良い。即ち、広角カメラによる広い視野の代わりに、輻輳カメラによる標準的な視野を用いて遠距離の視標を探査しても良い。
【００２２】
このように構成された一対の輻輳カメラ１０、望遠カメラ２０、広角カメラ３０が、基台４０に設置される。基台４０には、基台４０の運動制御を行うための基台運動用モータ５０が接続されている。図示例では、基台運動用モータ５０は、３軸制御可能なように３つのモータ部からなり、基台４０を任意の方向に向けることができるように構成されている。望遠カメラ２０及び広角カメラ３０は、このように構成された基台４０の運動に連動するように、基台４０に固定されている。したがって、望遠カメラ２０及び広角カメラ３０の視線は基台運動用モータ５０により制御される。
【００２３】
そして、このような本発明の遠距離視標探査カメラシステムが、車両や航空機等の移動物体１００に設けられる。本発明の遠距離視標探査カメラシステムは、移動物体１００により移動しながら、遠距離にある視標を探査・追跡することが可能である。なお、必要により基台４０に運動センサ４２を設けても良い。運動センサ４２としては、例えば回転運動や並進運動を計測可能なセンサが挙げられる。このようなセンサを用いて、基台の姿勢制御を行っても良い。また、運動センサ４２は、１つでも２つ以上あっても良いが、偶数個設ける場合には、基台の中心を対称に半数ずつ分けて設置することが好ましい。
【００２４】
次に、本発明の第１実施例の遠距離視標探査カメラシステムの動作について説明する。例えば、広範囲の探査領域の中から特定の視標を探査し、それを追跡する動作について説明する。まず、広角カメラ３０により広範囲の撮像を開始する。そして、撮像された広角画像を用いて遠距離視標探査カメラシステムの運動速度を計測し、基台４０の運動を制御することにより、広角カメラ３０の視線を環境（所定位置）に保持する。具体的には、まず、連続的に撮像された複数の広角画像の特定箇所の変化量から、遠距離視標探査カメラシステムの運動速度を計測する。即ち、広角カメラ３０の制御信号は、速度信号ということになる。そして、この速度信号をフィードバック信号として利用して、運動速度をキャンセルする方向に同じ速度で基台４０が回転するように基台運動用モータ５０を視覚フィードバック制御し、広角カメラ３０の視線を環境の所定位置に対して安定させる。
【００２５】
そして、安定した広角画像の中から特定の視標を検出する。視標は特定の形状や色の物体であり、例えば運動しているものであっても構わない。視標としては、例えば獲物や建物の傷等、探査目的となり得るものである。視標検出には、パターン認識等、従来の又は今後開発され得るあらゆる検出手法を適用可能である。これにより探査領域内のすべての領域において視標を探査可能となる。
【００２６】
なお、広角画像は視野範囲に対する解像度が低いため、広角画像のみを用いた視標検出だけでは、小さい視標が検出できない可能性がある。このため、本発明では、広角画像や望遠画像を用いて環境に対して視線を安定させながら、望遠カメラの視線を、望遠画像の範囲内に次の望遠カメラの視野の一部が重なるように移動させる。なお、望遠カメラの視線の移動は基台を用いて行うため、基台の運動に伴い広角カメラや輻輳カメラの視線も同様に移動する。この望遠カメラの視線の移動は、一定速度で移動させても良いし、一定間隔で跳躍的に移動させても良い。即ち、この視線の移動はサッカード制御を行えば良い。視線の移動の範囲は、探査範囲の漏れを防止するため、望遠カメラの視野よりも狭い範囲とする。このように、望遠画像に視標があるかないかを検出し、視標がなければ望遠カメラの視野を移動させることで、視標を高解像度の望遠画像を用いて検出することが可能となる。
【００２７】
そして、検出された視標に対して、基台４０に固定されている望遠カメラ２０の視線をこの視標に合わせるように、基台運動用モータ５０を視覚フィードバック制御する。なお、この動きはサッカードと呼ばれる運動である。そして、望遠カメラ２０の視線をこの視標の動きに追従し続けるように、基台運動用モータ５０を視覚フィードバック制御する。なお、この動きはスムーズパーシュートと呼ばれる運動である。具体的には、望遠カメラ２０により撮像された望遠画像を用いて、望遠画像内の視標位置からカメラ視線に対する視標の位置を計測する。即ち、望遠カメラ２０の制御信号は、位置信号ということになる。この位置信号を用いて視覚フィードバック制御により望遠カメラ２０の視線を視標に追従させるように制御する。これにより、視標を高解像度で鮮明に撮像し続けることが可能となる。
【００２８】
さらに、望遠カメラ２０が注視している視標に対して、一対の輻輳カメラ１０を輻輳運動制御して視標を撮像する。即ち、一対の輻輳カメラ１０により撮像された各輻輳画像におけるそれぞれの視標の位置の差を利用して、モータ１１を用いて輻輳運動制御する。このとき、一対の輻輳カメラ１０の回転角度を用いて視標までの距離を計測する。一対の輻輳カメラ１０の間の基線長と各回転角度が分かれば、三角測量の原理により視標までの距離が計測可能である。
【００２９】
本発明の遠距離視標探査カメラシステムは、このように制御することで、広範囲の探査領域の中から特定の視標を探査、追跡し、視標が微小であっても高解像度で撮像することが可能となる。
【００３０】
次に、本発明の第２実施例の遠距離視標探査カメラシステムを説明する。図２は、本発明の第２実施例の遠距離視標探査カメラシステムを説明するための概略図である。図中、図１と同一の符号を付した部分は同一物を表わしているため、重複説明は省略する。図２に示されるように、本発明の第２実施例の遠距離視標探査カメラシステムでは、望遠カメラ２０及び広角カメラ３０が、一対の輻輳カメラ１０の一方に固定されている。第１実施例では、望遠カメラ２０は一対の輻輳カメラ１０の間の中心に配置されていた。しかしながら、本第２実施例では、望遠カメラ２０は一対の輻輳カメラ１０の一方に固定され、この輻輳カメラ１０の視線に略等しい視線を有するように配置されている。このように配置されても、望遠カメラ２０の視線は、一対の輻輳カメラ１０の視線の交点の軌跡線に略等しい視線を有することになる。また、広角カメラ３０も同様に、一対の輻輳カメラ１０の一方に固定されており、望遠カメラ２０の視線に略等しい視線を有するように構成されている。望遠カメラ２０及び広角カメラ３０が一対の輻輳カメラ１０の一方に固定されているため、これらが一対の輻輳カメラ１０の一方の運動に連動する。
【００３１】
本第２実施例でも、基本制御原理は図１に示される第１実施例と同様である。以下、フローチャートを用いて、本発明の第１実施例又は第２実施例の遠距離視標探査カメラシステムの制御フローをより詳細に説明する。
【００３２】
図３乃至図５は、本発明の遠距離視標探査カメラシステムを用いて、広範囲から特定の視標を探査するための制御フローを説明するためのフローチャートである。図３は広角カメラの制御フローチャートを表しており、図４は一対の輻輳カメラの制御フローチャートを表しており、図５は望遠カメラの制御フローチャートを表している。
【００３３】
図３に示されるように、広角カメラの制御過程は、まず広角カメラにより広範囲を撮像する（ステップ３０１）。そして、撮像された広角画像を用いて、遠距離視標探査カメラシステムの運動速度を計測する（ステップ３０２）。これは、上述のように、連続的に撮像された複数の広角画像の特定箇所の変化量から、遠距離視標探査カメラシステムの運動速度を計測すれば良い。そして、撮像された広角画像内に、特定の視標があるかないか検出し（ステップ３０３）、視標が見つかれば基台をサッカード制御し（ステップ３０４）、視標が広角画像の例えば中心に来るように制御する。また、視標が見つからない場合には、後述する望遠カメラの制御フローを実行する（ステップ３０５）。望遠カメラにより視標を検出している間は、広角カメラの視線を所定位置に保持するために、計測された運動速度を用いて基台を視覚フィードバック制御する（ステップ３０６）。そして、望遠カメラによる制御信号と広角カメラによる制御信号を融合させ、基台をフィードバック制御する（ステップ３０７）。ここで、上述のように、望遠カメラによる制御信号は位置信号であり、広角カメラによる制御信号は速度信号である。これらの各信号は、所定のゲインが掛けられた上で加算され、基台のフィードバック制御信号とされる。
【００３４】
次に、図４に示されるように、一対の輻輳カメラの制御過程は、まず一対の輻輳カメラにより視標を撮像する（ステップ４０１）。広角カメラの制御フローで説明したように、広角カメラの撮像視線が所定位置に保持されると、基台が特定の方向に常に保持されることになる。したがって、一対の輻輳カメラも特定の方向に保持されることになる。そして、各輻輳カメラにより撮像された画像を照合し（ステップ４０２）、各輻輳カメラを輻輳運動制御する（ステップ４０３）。広角カメラの制御を、広角画像の中心に視標が位置するように制御しておけば、輻輳カメラ制御は、各輻輳画像の中心に視標が位置するように行うことで、それぞれの視線が一致することになる。このときの輻輳カメラの回転角度を用いて、視標までの距離を計測する（ステップ４０４）。距離計測は、上述のように三角測量の原理を用いれば良い。そして、視標の位置（座標）を計測する（ステップ４０５）。なお、ここでは座標位置も計測することを示したが、位置情報が不要な場合には計測しなくても勿論構わない。そして、輻輳カメラの視線を所定位置に保持するために、輻輳画像を用いて一対の輻輳カメラを視覚フィードバック制御する（ステップ４０６）。一対の輻輳カメラの視線の交点の軌跡線上に視標が位置するように制御すれば良い。
【００３５】
次に、図５に示されるように、望遠カメラにより視標を撮像する（ステップ５０１）。そして、望遠カメラの望遠画像上に視標があれば（ステップ５０２）、視標の位置を計測する（ステップ５０３）。そして、望遠画像内に視標が含まれるように視覚フィードバック制御する（ステップ５０４）。一方、望遠カメラの望遠画像上に視標がなければ（ステップ５０２）、望遠画像の範囲内に次の望遠カメラの視野の一部が重なるように望遠カメラの視線を移動させることで、探査領域を移動させる（ステップ５０５）。
【００３６】
このように制御することにより、広範囲の探査領域の中から特定の視標を探査し、視標に対して距離計測を行ったり、望遠カメラによる高詳細な撮像が可能となる。
【００３７】
さて、このような各制御フローは、視標までの距離に応じて種々使い分けることが可能である。本発明の遠距離視標探査カメラシステムを移動物体に搭載し、まず遠距離の視標を探査して追跡し、視標に接近するように移動物体を移動させた場合には、以下のように遠距離視標探査カメラシステムを制御すれば良い。
【００３８】
まず、視標までの距離が遠い場合、広角カメラ制御フロー（図３）と望遠カメラ制御フロー（図５）を用いて視標を探査し、検出できればサッカード制御して望遠カメラフローにより視標位置を計測しつつ視覚フィードバック制御する。そして、この視標のある位置に向かって移動物体を移動させていく。
【００３９】
そして、本発明の遠距離視標探査カメラシステムが搭載された移動物体がある程度視標に接近したところでは、今度は広角カメラ制御フロー（図３）と輻輳カメラ制御フロー（図４）を用いて、視標の距離や位置を高精度に計測し、視覚フィードバック制御により視標を撮像し続ける。これにより、移動物体はより正確に視標に近づいていくことが可能となる。
【００４０】
このように、本発明の遠距離視標探査カメラシステムの制御方法によれば、広範囲の探査領域の中から特定の視標を探査し、これを追跡しこれに接近していくことが可能となる。
【００４１】
本発明の遠距離視標探査カメラシステムは、車両や航空機等の移動物体に搭載し、遠距離から視標を探査、追跡することや、建物の傷等を視標として遠距離から発見することが可能となる。遠距離の視標を探査するときには広角カメラによる広角画像を基に、輻輳カメラを輻輳運動させて大まかな距離情報を取得する。そして、注視したい視標を望遠カメラで撮像し、探査、注視を行う。探査手法としては、広角カメラの広角画像や輻輳カメラの輻輳画像を基に、視線を安定させるよう視覚フィードバック制御を行いながら、望遠カメラの視線を移動させて探査領域をスキャンすれば良い。そして、一旦視標を発見したら、視覚フィードバック制御により視標を追跡しながら接近することも可能である。視標までの距離がある程度近くなったら、望遠カメラから輻輳カメラに切り替えて視標を追跡し続けても良い。
【００４２】
本発明の遠距離視標探査カメラシステムによれば、上述のように、望遠カメラや広角カメラのアクチュエータが不要となるため、構造が簡略化するため軽量化、小型化が図れる。また、構造が簡略化可能であるため制御もシンプルとなり、視標の探査や追従処理速度も高速となる。
【００４３】
なお、本発明の遠距離視標探査カメラシステムは、上述の図示例にのみ限定されるものではなく、本発明の要旨を逸脱しない範囲内において種々変更を加え得ることは勿論である。例えば、一対の輻輳カメラは複数組の輻輳カメラセットであっても良い。
【図面の簡単な説明】
【００４４】
【図１】図１は、本発明の第１実施例の遠距離視標探査カメラシステムを説明するための概略図である。
【図２】図２は、本発明の第２実施例の遠距離視標探査カメラシステムを説明するための概略図である。
【図３】図３は、本発明の遠距離視標探査カメラシステムを用いて、広範囲から特定の視標を探査するための広角カメラの制御フローを説明するためのフローチャートである。
【図４】図４は、本発明の遠距離視標探査カメラシステムを用いて、広範囲から特定の視標を探査するための一対の輻輳カメラの制御フローを説明するためのフローチャートである。
【図５】図５は、本発明の遠距離視標探査カメラシステムを用いて、広範囲から特定の視標を探査するための望遠カメラの制御フローを説明するためのフローチャートである。
【符号の説明】
【００４５】
１０    一対の輻輳カメラ
１１    モータ
１２    プーリ
１３    ベルト
２０    望遠カメラ
３０    広角カメラ
４０    基台
４２    運動センサ
５０    基台運動用モータ
１００    移動物体
【図１】
2010050582.tif 000003
【図２】
2010050582.tif 000004
【図３】
2010050582.tif 000005
【図４】
2010050582.tif 000006
【図５】
2010050582.tif 000007